(57)【要約】【課題】扉体をガタ付きなく常に確実に閉状態に施錠できるようにするとともに、閉状態で隙間が生じないようにすることで、隙間から異物が挿入され不正行為がなされるのを防止する。【解決手段】遊技機本体１または該遊技機本体に開閉可能に設けられた扉体３に錠装置本体４を固定し、他方に受金具５を固定し、該扉体を閉状態にしたとき該錠装置本体に設けられたラッチ１２が該受金具に係合することで該扉体を閉状態に施錠する装置であって、錠装置本体に閉状態としたとき受金具の係合縁より先まで突出状となる軸支部１０を形成し、ラッチを外周縁１３が円弧状なる略扇形に形成し、該ラッチを該外周縁の曲率中心１４から一則縁１５寄りに僅かにずらした位置にて前記軸支部に回転自在に軸支し、さらに、該ラッチを一方向に付勢することで該ラッチの一側縁を該扉体の閉動過程にて前記受金具の係合縁に摺接させるスプリング１６を設け、該扉体を閉状態としたとき該ラッチの外周縁を該スプリングの付勢によって前記受金具の係合縁に係合させるようにした。【選択図】  図８
2004267300.tif 000002
【特許請求の範囲】
【請求項１】
遊技機本体または該遊技機本体に開閉可能に設けられた扉体に錠装置本体を固定し、他方に受金具を固定し、該扉体を閉状態にしたとき該錠装置本体に設けられたラッチが該受金具に係合することで該扉体を閉状態に施錠する装置であって、錠装置本体に閉状態としたとき受金具の係合縁より先まで突出状となる軸支部を形成し、ラッチを外周縁が円弧状なる略扇形に形成し、該ラッチを該外周縁の曲率中心から一則縁寄りに僅かにずらした位置にて前記軸支部に回転自在に軸支し、さらに、該ラッチを一方向に付勢することで該ラッチの一側縁を該扉体の閉動過程にて前記受金具の係合縁に摺接させるスプリングを設け、該扉体を閉状態としたとき該ラッチの外周縁を該スプリングの付勢によって前記受金具の係合縁に係合させるようにしたことを特徴とする遊技機の施錠装置。
【請求項２】
錠装置本体の上部と下部に軸支部を形成し、該軸支部にラッチを夫々回転自在に枢支し、シリンダ錠の錠軸にカム板を固定し、該カム板に係合し進退動するように連動杆を設け、該連動杆が進退動することにより該ラッチをスプリングの弾性に抗して回転させ該ラッチと受金具との係合が解かれるようにした請求項１に記載の遊技機の施錠装置。
【発明の詳細な説明】
【０００１】
【発明の属する技術分野】
本発明は、パチンコ機，スロットマシン等の遊技機に設けられる扉体を施錠する装置に関する。
【０００２】
【従来の技術】
【特許文献１】
特開２００３−０００９１５
【０００３】
特許文献１等に示されたように、パチンコ機の施錠装置として、遊技機本体の前面にヒンジを介して開閉可能に取り付けられた扉体（前面枠）を施錠するため、扉体の内側に縦に装着され、本体側に固定された受金具にフック状の鉤部材を係合させて施錠する施錠装置は、従来から一般に使用されている。
【０００４】
【発明が解決しようとする課題】
ところで上記従来周知の施錠装置は、図１にその係合部を例示したように、扉体ｇの内面にビスｉにより固定された取付基板ｊにフック状の鉤部材ａが支軸ｂにより回転自在に枢支され、シリンダ錠（図示せず）を操作することにより該鉤部材の基部に連結された連結杆ｃが進退動し、該鉤部材ａを矢印で示したように回転させることで、該鉤部材ａを本体ｄ側に固定された受金具ｅに係合させるものであったが、その鉤部材ａの回転が許容されるように係合状態では同図に示したように受金具ｅの背面と鉤部材ａの係合部との間に隙間ｆが必然的に生じるものであった。このため、閉状態としても扉体ｇがその隙間分だけ前後にガタ付く欠点があり、本体ｄと扉体ｇとの隙間ｈから針金等の異物が挿入され不正行為がなされるおそれがあった。
【０００５】
本発明は、上記の点に鑑みてなされたもので、閉状態で上記のような隙間が生じないようにし、常に完全な閉止状態が保たれるようにする遊技機の施錠装置を提供することを目的とする。
【０００６】
【課題を解決するための手段】
上記目的を達成するために、請求項１に記載の発明は、遊技機本体または該遊技機本体に開閉可能に設けられた扉体に錠装置本体を固定し、他方に受金具を固定し、該扉体を閉状態にしたとき該錠装置本体に設けられたラッチが該受金具に係合することで該扉体を閉状態に施錠する装置であって、錠装置本体に閉状態としたとき受金具の係合縁より先まで突出状となる軸支部を形成し、ラッチを外周縁が円弧状なる略扇形に形成し、該ラッチを該外周縁の曲率中心から一則縁寄りに僅かにずらした位置にて前記軸支部に回転自在に軸支し、さらに、該ラッチを一方向に付勢することで該ラッチの一側縁を該扉体の閉動過程にて前記受金具の係合縁に摺接させるスプリングを設け、該扉体を閉状態としたとき該ラッチの外周縁を該スプリングの付勢によって前記受金具の係合縁に係合させるようにしたことを特徴とする。
【０００７】
また、請求項２に記載の発明は、上記施錠装置において、錠装置本体の上部と下部に軸支部を形成し、該軸支部にラッチを夫々回転自在に枢支し、シリンダ錠の錠軸にカム板を固定し、該カム板に係合し進退動するように連動杆を設け、該連動杆が進退動することにより該ラッチをスプリングの弾性に抗して回転させ該ラッチと受金具との係合が解かれるようにしたことを特徴とする。
【０００８】
【作用】
上記構成の施錠装置では、係合片の外周縁がスプリングの付勢によって受金具の係合縁に食い込んでゆくようになることから、隙間が生じるおそれはなく扉体を常に確実に閉状態に施錠することができる。
【０００９】
【発明の実施の形態】
以下、本発明の実施の形態を図面に基づいて説明する。この実施形態では、図２に示したように、遊技機本体１の一側にヒンジ２によって扉体３が開閉可能に設けられ、該扉体３に錠装置本体４を固定し、遊技機本体１に受金具５を固定している。なお、パチンコ機の場合は扉体３に周知のようにガラス枠，遊技盤，機構板等の主要部品が設けられたものとなる。
【００１０】
上記受金具５は、図３に示したように、遊技機本体１の開口縁にビス６によって固定された長手棹状金具７の上部と下部に該長手棹状金具の一部を内方に折曲起立させることにより形成されている。
【００１１】
また、錠装置本体４は、図４〜図６に拡大して示したように、横断面Ｌ字形に形成された長手棹状の基板８をビス９により扉体３の自由端縁内面に固定し、該基板の上部と下部に軸支部１０を形成している。なお、該軸支部１０は後述するように該扉体３を閉状態としたとき前記受金具５の係合縁（下縁）より先まで突出し得るように水平突出状に形成されている。そして、該軸支部１０に支軸１１を水平に固植し、該支軸１１によってラッチ１２を夫々回転自在に軸支している。該ラッチ１２は外周縁１３が円弧状なるように略扇形に形成されたもので、その外周縁１３の曲率中心１４から一則縁１５寄りに僅かにずらした位置に前記支軸１１を挿通することにより、該軸支部１０に回転自在に軸支される。このようにラッチ１２の回転中心を外周縁１３の曲率中心１４よりずらすことで、その回転中心（即ち、支軸１１）と外周縁１３との距離Ｒ１，Ｒ２，Ｒ３が、一則縁１５から遠ざかるに従って少しずつ長く（即ち、Ｒ１＜Ｒ２＜Ｒ３）なるようにしている。また、１６は該ラッチ１２を矢印の方向に付勢するため支軸１１の外周に設けられた巻バネ状のスプリング、１７は該スプリングの一端を係止するため軸支部１０の一部に折曲起立状に形成したストッパ、１８は該スプリングの他端を係止するためラッチ１２の一部に折曲起立状に形成したストッパである。なお、ストッパ１７とストッパ１８とはラッチ１２が回転したとき互いに当接し得ることで該ラッチ１２の回転範囲を規制する機能も兼備している。
【００１２】
また、図２に示した符号１９は、扉体３の前面から所定のキーを使うことにより操作し得るように基板８に設けられた公知のシリンダ錠である。図４に示したように、シリンダ錠１９の錠軸２０にカム板２１が固定されている。２２はピン２５を基板８に開設された縦長孔２６に遊嵌することにより基板８に沿って上下に進退動可能に支持された連動杆、２４は該連動杆２２を下向に付勢しているコイルスプリングで、該連動杆２２の上部と下部に前記ラッチ１２のストッパ１８部に下方から相対するように作動片２３を夫々突設している。そしてカム板２１の一端を該連動杆２２に係合可能に構成している。また、図２，図４に示した符号２７は、パチンコ機の場合にシリンダ錠１９の錠軸２０を逆回転することで扉体３のガラス枠を開放できるようにするためカム板２１の他端と係合可能なるように設けられたガラス枠開放機構である。
【００１３】
このように構成した遊技機の施錠装置では、扉体３が開状態にあるときは、図５，図６に示したように、ラッチ１２はスプリング１６の弾性により上向きに回転状態にあり一則縁（上縁）１５が受金具５の係合縁（下縁）に対し上向き傾斜状態にて対峙する。そして、扉体３を閉動過程としたとき、図７に示したように、ラッチ１２の一則縁１５が受金具５によって押圧されることによって該ラッチ１２は下向に回転する。さらに閉動を続け扉体３を閉状態にすると、一則縁１５は受金具５から離間し、図８に示したように、ラッチ１２の外周縁１３がスプリング１６の付勢によって受金具５の係合縁に当接するようになる。この外周縁１３は、前に説明したように、支軸１１からの距離が一則縁１５から遠ざかるに従って少しずつ長くなっているので、ラッチ１２が図示したように上向に回転することで該ラッチ１２の外周縁１３がさらに受金具の係合縁に食い込んでゆき確実に受金具５の係合縁に当接した状態となる。このため、常にラッチ１２と受金具５との間で隙間ができるおそれはなく、扉体３を確実に閉状態に保持することができる。なおこのときの水平断面図を図９に示す。
【００１４】
また、シリンダ錠１９の錠軸２０を回転し連動杆２２を上動させ作動片２３によりラッチ１２のストッパ１８部を押し上げることにより、図１０に示したように、ラッチ１２をスプリング１６の弾性に抗して下向に回転させれば、該ラッチ１２と受金具５との係合が解かれ、扉体３を開放可能な状態とすることができる。
【００１５】
なお、この実施形態では、扉体に錠装置本体を固定し、遊技機本体に受金具を固定したが、扉体に受金具を固定し、遊技機本体に錠装置本体を固定してもよい。また、ラッチやスプリング、受金具等の形状は、本発明の要旨を逸脱しない範囲にて種々の変更が可能である。
【００１６】
【発明の効果】
以上説明したように本発明によれば、錠装置本体に閉状態としたとき受金具の係合縁より先まで突出状となる軸支部を形成し、外周縁が円弧状なる略扇形のラッチを形成し、該ラッチを外周縁の曲率中心から一則縁寄りに僅かにずらした位置にて前記軸支部に回転自在に軸支し、該ラッチを一方向に付勢することで該ラッチの一側縁を該扉体の閉動過程にて前記受金具の係合縁に摺接させるスプリングを設け、該ラッチの外周縁を該スプリングの付勢によって受金具の係合縁に係合させるようにしたことから、ラッチと受金具との間に隙間ができることなく、扉体をガタ付きなく常に確実に閉状態に施錠することができる。従ってパチンコ機のみならず、種々の遊技機における施錠を確実なるものとし不正行為を防止できるなど顕著な効果がある。
【図面の簡単な説明】
【図１】従来の遊技機の施錠装置の係合部の側面図。
【図２】本発明の実施形態を示す遊技機の扉体を開けた状態の斜視図。
【図３】図２の遊技機本体に設けられた受金具の正面図。
【図４】図２の遊技機の錠装置本体の部分拡大正面図。
【図５】図２の遊技機の錠装置本体の部分拡大斜視図。
【図６】図２の遊技機の錠装置本体の部分拡大側面図。
【図７】本発明の実施形態を示す施錠装置の閉動過程図。
【図８】本発明の実施形態を示す施錠装置の閉状態図。
【図９】図８の水平断面図。
【図１０】本発明の実施形態を示す施錠装置の開作動状態図。
【符号の説明】
１      遊技機本体
２      ヒンジ
３      扉体
４      錠装置本体
５      受金具
８      基板
１０    軸支部
１１    支軸
１２    ラッチ
１３    外周縁
１４    曲率中心
１５    一則縁
１６    スプリング
１７    ストッパ
１８    ストッパ
１９    シリンダ錠
２０    錠軸
２１    カム板
２２    連動杆
２３    作動片
【図１】
2004267300.tif 000003
【図２】
2004267300.tif 000004
【図３】
2004267300.tif 000005
【図４】
2004267300.tif 000006
【図５】
2004267300.tif 000007
【図６】
2004267300.tif 000008
【図７】
2004267300.tif 000009
【図８】
2004267300.tif 000010
【図９】
2004267300.tif 000011
【図１０】
2004267300.tif 000012